【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
内燃機関のクランク軸の端部側に直接または動力伝達装置を介して取り付けたＡＣジェネレータが発生した電力により、内燃機関を制御するバッテリレスの内燃機関用制御装置において、
内燃機関の動作制御用のマイコンと、このマイコンに電源電力を給電するマイコン電源用電圧レギュレータと、前記ＡＣジェネレータで発生した電力を整流および平滑化する内蔵レギュレータとを備え、前記内蔵レギュレータと前記マイコン電源用電圧レギュレータ間に、小容量の第１のコンデンサと、複数の切換手段にそれぞれ直列接続され、前記第１のコンデンサより容量が大である複数の第２のコンデンサが並列接続されていることを特徴とする内燃機関用制御装置。
【請求項２】
前記第２のコンデンサを切り換える切換手段はＭＯＳＦＥＴであり、このＭＯＳＦＥＴの駆動を前記マイコンが制御することを特徴とする請求項１に記載の内燃機関用制御装置。
【請求項３】
前記マイコンが複数の前記切換手段に指令するタイミングは、切換手段ごとに異なっており、前記内燃機関の回転速度が上昇するにつれて順次切り換えられ、前記切換手段の切り換え間隔が所定時間以下の場合には所定時間に達するまで切り換えないことを特徴とする請求項２に記載の内燃機関用制御装置。
【請求項４】
内燃機関に取り付けたＡＣジェネレータが発生した電力により内燃機関の制御装置が内燃機関を制御するバッテリレスの内燃機関の制御方法において、
前記内燃機関の制御装置は、マイコンに電源電力を給電するマイコン電源用電圧レギュレータと前記ＡＣジェネレータの出力が入力される内蔵レギュレータとの間に第１のコンデンサを有しており、
前記内燃機関の制御装置は、前記第１のコンデンサに切換手段を介して並列接続され、
この第１のコンデンサより容量が大の複数の第２のコンデンサを、前記内燃機関の回転速度が複数の予め定めた回転速度に達したら、前記切換手段を用いて電気的な切断状態から接続状態へ順次切換えることを特徴とする内燃機関の制御方法。
【請求項５】
前記複数の第２のコンデンサは、電気的な接続状態が同時には切換えられず、かつ前記切換手段の切り換え間隔が所定時間以下の場合には所定時間に達するまで切り換えないことを特徴とする請求項４に記載の内燃機関の制御方法。
【請求項６】
前記複数の第２のコンデンサは、内燃機関の始動時には電気的に切断されており、一旦接続されたら前記内燃機関の制御装置がリセットするまで電気的な接続状態を保持することを特徴とする請求項５に記載の内燃機関の制御方法。
【請求項７】
内燃機関のクランク軸の端部側に直接または動力伝達装置を介して取り付けたＡＣジェネレータが発生した電力により、内燃機関を制御するバッテリレスの内燃機関用制御装置において、
内燃機関の動作制御用のマイコンと、このマイコンに電源電力を給電するマイコン電源用電圧レギュレータと、前記ＡＣジェネレータで発生した電力を整流および平滑化する内蔵レギュレータとを備え、前記内蔵レギュレータと前記マイコン電源用電圧レギュレータ間に小容量の第１のコンデンサを、前記第１のコンデンサより容量が大である１個の第２のコンデンサを前記内蔵レギュレータと前記マイコン電源用電圧レギュレータ間に有し、前記第２のコンデンサにＦＥＴを直列接続し、
前記マイコンは前記ＦＥＴをＰＷＭ駆動することを特徴とする内燃機関用制御装置。
【請求項８】
内燃機関に取り付けたＡＣジェネレータが発生した電力により内燃機関を制御するバッテリレスの内燃機関の制御方法において、
前記内燃機関の制御装置は、マイコンに電源電力を給電するマイコン電源用電圧レギュレータと、前記ＡＣジェネレータの出力が入力される内蔵レギュレータと、前記マイコン電源用電圧レギュレータと前記ＡＣジェネレータとの間に配置された第１のコンデンサと、前記第１のコンデンサより大容量で１個だけ接続された第２のコンデンサと、この第２のコンデンサに直列接続されたＦＥＴとを有し、前記マイコンは、前記内燃機関の回転速度が予め定めた回転速度域に達したら、前記ＦＥＴをＰＷＭ駆動して前記第２のコンデンサを電気的な切断状態から接続状態へ切り換えて充電することを特徴とする内燃機関の制御方法。
【請求項９】
複数の第２のコンデンサを前記内蔵レギュレータと前記マイコン電源用電圧レギュレータ間に配置する代わりに、前記マイコン電源用電圧レギュレータと前記マイコン間に配置したことを特徴とする請求項１に記載の内燃機関用制御装置。
【請求項１０】
１個の前記第２のコンデンサを前記内蔵レギュレータと前記マイコン電源用電圧レギュレータ間に配置する代わりに、前記マイコン電源用電圧レギュレータと前記マイコン間に１個の前記第２のコンデンサを配置したことを特徴とする請求項７に記載の内燃機関用制御装置。
【請求項１１】
前記第２のコンデンサは前記内蔵レギュレータと前記マイコン電源用電圧レギュレータ間または前記マイコン電源用電圧レギュレータと前記マイコン間に接続されており、前記第２のコンデンサのＰＷＭ充電回数もしくはＰＷＭ充電時間が予め定めた値に達したら充電完了とみなして、その後は内燃機関の制御装置がリセットされるまで電気的な接続状態を保持することを特徴とする請求項８に記載の内燃機関の制御方法。
【手続補正２】
【補正対象書類名】明細書
【補正対象項目名】００１２
【補正方法】変更
【補正の内容】
【００１２】
上記目的を達成する本発明の特徴は、内燃機関のクランク軸の端部側に直接または動力伝達装置を介して取り付けたＡＣジェネレータが発生した電力により、内燃機関を制御するバッテリレスの内燃機関用制御装置において、内燃機関の動作制御用のマイコンと、このマイコンに電源電力を給電するマイコン電源用電圧レギュレータと、前記ＡＣジェネレータで発生した電力を整流および平滑化する内蔵レギュレータとを備え、前記内蔵レギュレータと前記マイコン電源用電圧レギュレータ間に、小容量の第１のコンデンサと、複数の切換手段にそれぞれ直列接続され、前記第１のコンデンサより容量が大である複数の第２のコンデンサが並列接続されていることにある。
【手続補正３】
【補正対象書類名】明細書
【補正対象項目名】００１３
【補正方法】変更
【補正の内容】
【００１３】
そしてこの特徴において、前記第２のコンデンサを切り換える切換手段はＭＯＳＦＥＴであり、このＭＯＳＦＥＴの駆動を前記マイコンが制御するのがよく、前記マイコンが複数の前記切換手段に指令するタイミングは、切換手段ごとに異なっており、前記内燃機関の回転速度が上昇するにつれて順次切り換えられ、前記切換手段の切り換え間隔が所定時間以下の場合には所定時間に達するまで切り換えないことが望ましい。また、前記複数の第２のコンデンサを、前記内蔵レギュレータと前記マイコン電源用電圧レギュレータ間に配置する代わりに、前記マイコン電源用電圧レギュレータと前記マイコン間に配置してもよい。
【手続補正４】
【補正対象書類名】明細書
【補正対象項目名】００１４
【補正方法】変更
【補正の内容】
【００１４】
さらに、複数の第２のコンデンサを前記内蔵レギュレータと前記マイコン電源用電圧レギュレータ間に配置する代わりに、前記第１のコンデンサより容量が大である１個の第２のコンデンサを前記内蔵レギュレータと前記マイコン電源用電圧レギュレータ間または前記マイコン電源用電圧レギュレータと前記マイコン間に接続し、前記第２のコンデンサにＦＥＴを直列接続し、前記マイコンは、前記内燃機関の回転速度が予め定めた回転速度域に達したら、前記ＦＥＴをＰＷＭ駆動して前記第２のコンデンサを電気的な切断状態から接続状態へ切り換えて充電するようにしてもよい。
【手続補正５】
【補正対象書類名】明細書
【補正対象項目名】００１５
【補正方法】変更
【補正の内容】
【００１５】
さらにまた、１個の第２のコンデンサを前記内蔵レギュレータと前記マイコン電源用電圧レギュレータ間に配置する代わりに、前記マイコン電源用電圧レギュレータと前記マイコン間に配置し、前記マイコンは前記ＦＥＴをＰＷＭ駆動して前記第２のコンデンサを電気的な切断状態から接続状態へ切り換えて充電するようにしてもよい。
【手続補正６】
【補正対象書類名】明細書
【補正対象項目名】００１６
【補正方法】変更
【補正の内容】
【００１６】
上記目的を達成する本発明の他の特徴は、内燃機関に取り付けたＡＣジェネレータが発生した電力により内燃機関の制御装置が内燃機関を制御するバッテリレスの内燃機関の制御方法において、前記内燃機関の制御装置は、マイコンに電源電力を給電するマイコン電源用電圧レギュレータと前記ＡＣジェネレータの出力が入力される内蔵レギュレータとの間に第１のコンデンサを有しており、さらに前記内蔵レギュレータと前記マイコン電源用電圧レギュレータ間または前記マイコン電源用電圧レギュレータと前記マイコン間に設けられ、電源ラインに並列接続され、この第１のコンデンサより容量が大の複数の第２のコンデンサを、前記内燃機関の回転速度が複数の予め定めた回転速度に達したら、前記切換手段を用いて電気的な切断状態から接続状態へ順次切換えることにある。
【手続補正７】
【補正対象書類名】明細書
【補正対象項目名】００１８
【補正方法】変更
【補正の内容】
【００１８】
またこの特徴において、前記複数の第２のコンデンサの代わりに前記第１のコンデンサより容量が大である１個の第２のコンデンサを、前記内蔵レギュレータと前記マイコン電源用電圧レギュレータ間または前記マイコン電源用電圧レギュレータと前記マイコン間に接続し、前記第２のコンデンサのＰＷＭ充電回数もしくはＰＷＭ充電時間が予め定めた値に達したら充電完了とみなして、その後は内燃機関の制御装置がリセットされるまで電気的な接続状態を保持するのが望ましい。